(57)【要約】【課題】作業性を向上させた収納盤、蓄電装置、及び蓄電システムを提供する。【解決手段】収納盤２は、複数の蓄電池ユニット５が鉛直方向に並べて収納される。複数の蓄電池ユニット５の各々は、１乃至複数の蓄電池を筐体５１内に有する。収納盤２は、盤本体３と、蓋体４と、支持部材とを備えている。盤本体３は、前面に開口部３０が形成された箱状である。蓋体４は、開口部３０を塞ぐように盤本体３に取り付けられる。支持部材は、複数の蓄電池ユニット５の位置を鉛直方向と直交する方向にずらした状態で複数の蓄電池ユニット５を支持する。【選択図】図１
2017098031.tif 000002
【特許請求の範囲】
【請求項１】
それぞれ１乃至複数の蓄電池を筐体内に有する複数の蓄電池ユニットが鉛直方向に並べて収納される収納盤であって、
前面に開口部が形成された箱状の盤本体と、
前記開口部を塞ぐように前記盤本体に取り付けられる蓋体と、
前記複数の蓄電池ユニットの位置を鉛直方向と直交する方向にずらした状態で支持する支持部材とを備えていることを特徴とする収納盤。
【請求項２】
前記筐体は直方体であり、
前記支持部材は、鉛直方向に平行な前記筐体の４つの面のうち表面積が最も大きい面の法線方向に前記複数の蓄電池ユニットの位置をずらした状態で前記複数の蓄電池ユニットを支持するように構成されていることを特徴とする請求項１記載の収納盤。
【請求項３】
前記支持部材は、前記複数の蓄電池ユニットの中で鉛直方向に隣接する２つの蓄電池ユニットのうち下側の第１蓄電池ユニットが、上側の第２蓄電池ユニットよりも前記蓋体に近づくように位置をずらした状態で前記複数の蓄電池ユニットを支持するように構成されていることを特徴とする請求項２記載の収納盤。
【請求項４】
前記複数の蓄電池ユニットのうち一番上に位置する前記第２蓄電池ユニットと当該第２蓄電池ユニットに隣接する前記第１蓄電池ユニットとの間の距離が、当該第２蓄電池ユニットと前記盤本体の上面との間の距離よりも短くなるように構成されていることを特徴とする請求項３記載の収納盤。
【請求項５】
前記複数の蓄電池ユニットのうち一番上に位置する前記第２蓄電池ユニットを支持する前記支持部材の下端と当該第２蓄電池ユニットに隣接する前記第１蓄電池ユニットとの間の距離が、当該第２蓄電池ユニットと前記盤本体の上面との間の距離よりも短くなるように構成されていることを特徴とする請求項３または４記載の収納盤。
【請求項６】
前記複数の蓄電池ユニットのうち一番下に位置する蓄電池ユニットよりも下側のスペースに配置される送風部をさらに備えていることを特徴とする請求項１〜５のいずれか１項に記載の収納盤。
【請求項７】
前記送風部からの風の向きが上向きであることを特徴とする請求項６記載の収納盤。
【請求項８】
前記送風部は、鉛直方向と直交する方向が送風方向となるように配置されたファンと、前記送風方向において前記ファンと対向するように配置された傾斜壁とを有し、
前記傾斜壁は、前記ファンとの対向面が斜め上向きとなるように傾斜していることを特徴とする請求項７記載の収納盤。
【請求項９】
請求項１〜８のいずれか１項に記載の収納盤と、前記収納盤に収納される前記複数の蓄電池ユニットとを備えていることを特徴とする蓄電装置。
【請求項１０】
請求項９記載の蓄電装置と、前記蓄電装置の電力を変換する電力変換装置とを備えていることを特徴とする蓄電システム。
【発明の詳細な説明】
【技術分野】
【０００１】
本発明は、収納盤、蓄電装置、及び蓄電システムに関する。
【背景技術】
【０００２】
従来、複数の電池モジュール（蓄電池ユニット）を備えた蓄電装置が知られている（例えば特許文献１参照）。特許文献１記載の蓄電装置は、複数の電池モジュールと、複数の電池モジュールを保持するハウジング（収納盤）とを備えている。複数の電池モジュールの各々は、電池パックと、電池パックを収納するケースとで構成される。ハウジングは、複数のフレームからなるフレームブロックと、複数枚のパネルからなる筐体とで構成される。
【先行技術文献】
【特許文献】
【０００３】
【特許文献１】特開２０１３−１９６８５８号公報
【発明の概要】
【発明が解決しようとする課題】
【０００４】
上述の特許文献１記載の蓄電装置は、１つのハウジングに複数の電池モジュールを収納する構造であるため、電池モジュールを組み付ける際の作業性が低下する可能性があった。
【０００５】
本発明は上記課題に鑑みてなされており、作業性を向上させた収納盤、蓄電装置、及び蓄電システムを提供することを目的とする。
【課題を解決するための手段】
【０００６】
本発明の収納盤は、それぞれ１乃至複数の蓄電池を筐体内に有する複数の蓄電池ユニットが鉛直方向に並べて収納される収納盤であって、前面に開口部が形成された箱状の盤本体と、前記開口部を塞ぐように前記盤本体に取り付けられる蓋体と、前記複数の蓄電池ユニットの位置を鉛直方向と直交する方向にずらした状態で支持する支持部材とを備えていることを特徴とする。
【０００７】
本発明の蓄電装置は、上述の収納盤と、前記収納盤に収納される前記複数の蓄電池ユニットとを備えていることを特徴とする。
【０００８】
本発明の蓄電システムは、上述の蓄電装置と、前記蓄電装置の電力を変換する電力変換装置とを備えていることを特徴とする。
【発明の効果】
【０００９】
本発明は、作業性を向上させることができる、という効果がある。
【図面の簡単な説明】
【００１０】
【図１】実施形態の蓄電装置を側方から見た断面図である。
【図２】実施形態の蓄電装置から蓋体を取り外した状態の正面図である。
【図３】図３Ａは実施形態の蓄電装置に用いられる収納盤の正面図、図３Ｂは左側面図、図３Ｃは平面図である。
【図４】図４Ａは実施形態の蓄電装置に用いられる収納盤の背面図、図４Ｂは右側面図、図４Ｃは底面図である。
【図５】実施形態の蓄電装置を用いた蓄電システムの概略構成図である。
【図６】実施形態の蓄電装置に用いられる収納盤を構成する盤本体の斜視図である。
【図７】図７Ａは実施形態の蓄電装置を上方から見た断面図、図７Ｂは図７ＡのＸ部拡大図である。
【図８】図８Ａは実施形態の蓄電装置に用いられる蓄電池ユニットの正面図、図８Ｂは左側面図、図８Ｃは平面図である。
【図９】図９Ａ〜図９Ｄは実施形態の蓄電装置において蓄電池ユニットを収納盤に取り付ける手順を説明するための一部省略した斜視図である。
【図１０】実施形態の蓄電装置を並べて設置した状態の正面図である。
【図１１】実施形態の電力変換システムの正面図である。
【発明を実施するための形態】
【００１１】
以下の実施形態は、収納盤、蓄電装置、及び蓄電システムに関し、特に複数の蓄電池ユニットを収納可能な収納盤、蓄電装置、及び蓄電システムに関する。
【００１２】
（１）概要
本実施形態の収納盤２は、図１〜図５に示すように、複数の蓄電池ユニット５（５Ａ，５Ｂ）が鉛直方向（上下方向）に並べて収納される。複数の蓄電池ユニット５の各々は、１乃至複数の蓄電池５０を筐体５１内に有する。収納盤２は、盤本体３と、蓋体４と、支持部材（支持バー３３及び支持台３４）とを備えている。盤本体３は、前面に開口部３０が形成された箱状である。蓋体４は、開口部３０を塞ぐように盤本体３に取り付けられる。支持部材は、複数の蓄電池ユニット５の位置を鉛直方向と直交する方向（前後方向）にずらした状態で複数の蓄電池ユニット５を支持する。
【００１３】
（２）詳細
以下、本実施形態の収納盤、蓄電装置、及び蓄電システムについて図面を参照して説明する。ただし、以下に説明する構成は、本発明の一例に過ぎず、本発明は下記の実施形態に限定されない。したがって、この実施形態以外であっても、本発明に係る技術的思想を逸脱しない範囲であれば、設計等に応じて種々の変更が可能である。
【００１４】
また、以下では特に断りがない限り、収納盤２が床に設置された状態で、盤本体３を正面（開口部３０側）から見たときの上下方向（鉛直方向）及び左右方向を、上下方向及び左右方向として説明する。つまり、図２において「上」、「下」、「左」、「右」の矢印で示す通りに上下左右の各方向を規定する。また、以下では、収納盤２が床に設置された状態で、盤本体３を正面（開口部３０側）から見たときの奥行方向を前後方向とし、開口部３０側を前方として説明する。つまり、図１において「前」、「後」の矢印で示す通りに前後の各方向を規定する。ただし、これらの方向は蓄電装置１の設置方向を規定する趣旨ではない。また、図面中の各方向を示す矢印は説明のために表記しているに過ぎず、実体を伴わない。
【００１５】
（２．１）蓄電システム
図５は本実施形態の蓄電システムの概略構成図である。本実施形態の蓄電システムは、複数（本実施形態では２個）の蓄電装置１と、複数（本実施形態では２個）の電力変換装置８とを備えている。また、本実施形態の蓄電システムは、複数（本実施形態では２個）の太陽光発電装置９と、接続箱１０と、分電盤１１と、共用分電盤１２と、バックアップ分電盤１３とをさらに備えている。なお、図５において、電力線による接続関係は実線で示し、通信用の接続関係は破線で示している。
【００１６】
蓄電装置１は、図５に示すように、複数（本実施形態では２個）の蓄電池ユニット５と、複数の蓄電池ユニット５を収納する収納盤２とを備えている。本実施形態において、２個の蓄電池ユニット５を区別する場合には、鉛直方向における上側の蓄電池ユニット５を第２蓄電池ユニット５Ｂと表記し、下側の蓄電池ユニット５を第１蓄電池ユニット５Ａと表記する。また、蓄電池ユニット５は、蓄電池５０と、蓄電池５０を収納する筐体５１とを備えている。
【００１７】
電力変換装置８は、図５に示すように、インバータ（パワーコンディショナ）８１と、自立制御部８２（８２Ａ又は８２Ｂ）と、複数のＤＣ／ＤＣコンバータ８３と、ＤＣ／ＤＣコンバータ８４，８５とを備えている。複数のＤＣ／ＤＣコンバータ８３は、太陽光発電装置９が有する複数の太陽電池パネルに一対一に対応して設けられている。ＤＣ／ＤＣコンバータ８４，８５は、２個の蓄電池ユニット５に一対一に対応して設けられている。
【００１８】
ここで、収納盤２の接地端子Ｅｃは、図５に示すように、電線を介して共用分電盤１２の接地端子Ｅｃに接続されている。また、蓄電池ユニット５の筐体５１の接地端子Ｅｃは、電線を介して電力変換装置８の筐体８６の接地端子Ｅｃに接続されている。さらに、電力変換装置８の筐体８６の接地端子Ｅｃは、電線を介して共用分電盤１２の接地端子Ｅｃに接続されている。すなわち、本実施形態の蓄電システムでは、収納盤２の接地端子Ｅｃと蓄電池ユニット５の筐体５１の接地端子Ｅｃとが直接接続されておらず、電力変換装置８の筐体８６の接地端子Ｅｃを介して間接的に接続されている。
【００１９】
（２．２）収納盤
次に、収納盤２の具体的な構成について、図１〜図４Ｃを参照して説明する。
【００２０】
収納盤２は、盤本体３と、蓋体４とを備えている。盤本体３は、パネルブロック３１と、複数（本実施形態では２個）の縦フレーム３２Ａと、複数（本実施形態では４個）の横フレーム３２Ｂとを有している。また、盤本体３は、複数（本実施形態では４個）の支持バー３３と、複数（本実施形態では２個）の支持台３４と、複数（本実施形態では４個）の第１保持部材３５と、複数（本実施形態では４個）の第２保持部材３６とをさらに有している。
【００２１】
パネルブロック３１は、金属製の複数枚のパネル（第１〜第５パネル３１１〜３１５）にて、前面に開口部３０が形成された縦長の矩形箱状に形成されている。パネルブロック３１は、図６に示すように、上面を構成する第１パネル３１１と、下面を構成する第２パネル３１２と、右側面を構成する第３パネル３１３と、左側面を構成する第４パネル３１４と、後面を構成する第５パネル３１５とを有している。
【００２２】
第１パネル３１１は、左右方向に長い矩形板状である。第１パネル３１１には、第１配線孔３１１Ａと第２配線孔３１１Ｂとが設けられている。第１配線孔３１１Ａは、図３Ｃ及び図６に示すように矩形状に開口している。第１配線孔３１１Ａは、第１パネル３１１を前後方向（図３Ｃの上下方向）に二等分する直線ＳＬに対して後面側（第５パネル３１５側）で、かつ左右方向における右寄りの位置に設けられている。第１配線孔３１１Ａは、矩形板状に形成された第１蓋板３８Ａによって塞がれている。また、第２配線孔３１１Ｂは、図３Ｃ及び図６に示すように矩形状に開口している。第２配線孔３１１Ｂは、直線ＳＬに対して後面側で、かつ左右方向における左寄りの位置に設けられている。第２配線孔３１１Ｂは、矩形板状に形成された第２蓋板３８Ｂによって塞がれている。
【００２３】
本実施形態では、図２に示すように、第１配線孔３１１Ａを塞ぐ第１蓋板３８Ａに電線管４２Ａが取り付けられ、第２配線孔３１１Ｂを塞ぐ第２蓋板３８Ｂに電線管４２Ｂが取り付けられている。蓄電池ユニット５に電気的に接続される直流用の第１電線４３Ａは、電線管４２Ａを通って収納盤２内に引き込まれ、蓄電池ユニット５の背面側の空間を通して各蓄電池ユニット５に電気的に接続される。ヒータユニット６（後述する）に電気的に接続される交流用の第２電線４３Ｂは、電線管４２Ｂを通って収納盤２内に引き込まれ、蓄電池ユニット５の背面側の空間を通して端子台７（図２参照）に電気的に接続される。端子台７はヒータユニット６に電気的に接続されている。また、盤本体３の接地端子４０（図１参照）と共用分電盤１２の接地端子Ｅｃ（図５参照）とを電気的に接続する接地用の第２電線４３Ｂも、電線管４２Ｂを通って収納盤２内に引き込まれ、接地端子４０に電気的に接続される。盤本体３の接地端子４０は、収納盤２の接地端子Ｅｃ（図５参照）である。
【００２４】
具体例として、第１蓋板３８Ａには通線孔が形成され、通線孔の開口周縁に電線管４２Ａの端部が取り付けられることにより、第１電線４３Ａは第１蓋板３８Ａの通線孔を通して収納盤２内に引き込まれる。同様に、第２蓋板３８Ｂには通線孔が形成され、通線孔の開口周縁に電線管４２Ｂの端部が取り付けられることにより、第２電線４３Ｂは第２蓋板３８Ｂの通線孔を通して収納盤２内に引き込まれる。
【００２５】
第５パネル３１５は、図４Ａ及び図６に示すように、鉛直方向に長い２枚の板材を左右方向において突き合わせた状態で、突合わせ部分で２枚の板材を溶接することにより、鉛直方向に長い１枚のパネルを構成する。第５パネル３１５における２枚の板材の突合わせ部分には、図７Ｂに示すように、前方に向けて突出するリブ３１５Ａが一体に設けられている。２枚の板材の各々は突き合わせ部分が前方に折れ曲がった形状であって、これらの突き合わせ部分によってリブ３１５Ａが構成されている。すなわち、本実施形態では、リブ３１５Ａが第５パネル３１５と一体である。
【００２６】
本実施形態の収納盤２では、リブ３１５Ａによって、第１配線孔３１１Ａを通して収納盤２内に引き込まれた第１電線４３Ａと、第２配線孔３１１Ｂを通して収納盤２内に引き込まれた第２電線４３Ｂとを左右方向に分けて配線することができる。つまり、収納盤２の内部空間がリブ３１５Ａによって左右方向に２分割されることになる。そして、第１電線４３Ａについては、リブ３１５Ａに対して第１配線孔３１１Ａ側（本実施形態では右側）の空間を通し、第２電線４３Ｂについては、リブ３１５Ａに対して第２配線孔３１１Ｂ側（本実施形態では左側）の空間を通すことができる。
【００２７】
縦フレーム３２Ａは、金属製であって、鉛直方向に長尺に形成されている。縦フレーム３２Ａは、第５パネル３１５と第３パネル３１３とで構成される角部分、及び第５パネル３１５と第４パネル３１４とで構成される角部分にそれぞれ配置されている。縦フレーム３２Ａは、図６及び図７Ａに示すように、長手方向（鉛直方向）に直交する断面形状がＬ字状のフレーム本体３２１と、取付片３２２とを有している。フレーム本体３２１は、第５パネル３１５の前面から前方に向けて突出する部分と、当該部分の前端縁から第５パネル３１５に沿ってリブ３１５Ａとは反対側に向けて延長された部分とで、断面Ｌ字状に形成されている。取付片３２２は、フレーム本体３２１の後端縁から、第５パネル３１５に沿ってリブ３１５Ａに向けて突出する形に形成されている。そして、縦フレーム３２Ａは、取付片３２２が第５パネル３１５に固定されることで、パネルブロック３１と結合されている。
【００２８】
横フレーム３２Ｂは、金属製であって、前後方向に長尺に形成されている。横フレーム３２Ｂは、第３パネル３１３及び第４パネル３１４の各々の内側面に取り付けられている。横フレーム３２Ｂは、第３パネル３１３の内側面において上下方向に間隔を空けた状態で２個取り付けられており、また第４パネル３１４の内側面において上下方向に間隔を空けた状態で２個取り付けられている。さらに、第３パネル３１３に取り付けられた横フレーム３２Ｂと、第４パネル３１４に取り付けられた横フレーム３２Ｂとでは、鉛直方向の位置が同じである。つまり、第３パネル３１３に取り付けられた横フレーム３２Ｂと、第４パネル３１４に取り付けられた横フレーム３２Ｂとは、左右方向において対向するように配置されている。横フレーム３２Ｂの長手方向（前後方向）に直交する断面形状は、鉛直方向の中央部が内側（対向する横フレーム３２Ｂ側）に突出した凸形状である（図９Ａ参照）。
【００２９】
このように、本実施形態では、盤本体３は、収納空間を囲むパネル（第１〜第５パネル３１１〜３１５）と、パネルの内側面に固定されたフレーム（縦フレーム３２Ａ及び横フレーム３２Ｂ）とを有している。
【００３０】
支持バー３３は、金属製であって、左右方向に長尺に形成されている。支持バー３３の長手方向（左右方向）に直交する断面形状は、前後方向の中央部が上方に向けて突出した凸形状である。支持バー３３は、一対の横フレーム３２Ｂ間に架け渡されるように、一対の横フレーム３２Ｂに跨って取り付けられる。ここでいう一対の横フレーム３２Ｂは、左右方向において互いに対向する横フレーム３２Ｂである。つまり、支持バー３３は、横フレーム３２Ｂに保持されている。また、支持バー３３は前後方向に並ぶ２個を１組としており、一対の横フレーム３２Ｂに対して一対の支持部材３３が取り付けられる。
【００３１】
支持台３４は、金属製の板材である。この支持台３４は、前後方向に並べて配置された一対の支持バー３３に跨るように配置された状態で、一対の支持バー３３にねじ固定される。本実施形態では、一対の横フレーム３２Ｂ及び一対の支持バー３３は、鉛直方向において２組ずつ設けられている。そのため、支持台３４についても、鉛直方向において２段（上下２段）の支持台３４が設けられることになる。
【００３２】
支持台３４は、左右方向に長い矩形板状の台本体３４１と、台本体３４１の後端縁から上向きに突出する第１ストッパ３４２と、台本体３４１の左端縁から上向きに突出する第２ストッパ３４３とを有している。第１ストッパ３４２は、蓄電池ユニット５を収納する収納空間（第１収納空間Ｓ１又は第２収納空間Ｓ２）の後方に配置され、蓄電池ユニット５の後面に接触することで後方への蓄電池ユニット５の移動を規制する移動規制部材（ストッパ）として機能する。この支持台３４には、台本体３４１の上面、第１ストッパ３４２の前面、及び第２ストッパ３４３の右側面を覆うように絶縁シート３９が取り付けられている。したがって、支持台３４に蓄電池ユニット５が載せられた状態では、支持台３４と蓄電池ユニット５の筐体５１とが電気的に絶縁される。なお、図面上では、支持台３４についても符号を付しているが、例えば図６等においては、実際には支持台３４は絶縁シート３９で隠れることになる。
【００３３】
以上の構成により、本実施形態の収納盤２は、図６に示すように、第１収納空間Ｓ１と、第２収納空間Ｓ２と、第３収納空間Ｓ３とを有している。第１収納空間Ｓ１は、第１パネル３１１と第３パネル３１３と第４パネル３１４と上側の支持台３４とで囲まれる空間である。第２収納空間Ｓ２は、上側の支持台３４と第３パネル３１３と第４パネル３１４と下側の支持台３４とで囲まれる空間である。第３収納空間Ｓ３は、下側の支持台３４と第２パネル３１２と第３パネル３１３と第４パネル３１４とで囲まれる空間である。そして、本実施形態の収納盤２では、第１収納空間Ｓ１及び第２収納空間Ｓ２に蓄電池ユニット５が収納され、第３収納空間Ｓ３にヒータユニット６が収納される。つまり、第１〜第３収納空間Ｓ１〜Ｓ３のうち、蓄電池ユニット５が収納されるのは第１収納空間Ｓ１及び第２収納空間Ｓ２のみである。単に「収納空間」という場合には、蓄電池ユニット５が収納される、これら第１収納空間Ｓ１又は第２収納空間Ｓ２を意味する。
【００３４】
第１保持部材３５及び第２保持部材３６は、水平面内において前後方向と交差するスライド方向（本実施形態では左右方向）に離れて配置されている。本実施形態では、第１保持部材３５及び第２保持部材３６は、１つの収納空間（第１収納空間Ｓ１又は第２収納空間Ｓ２）に対して２つずつ設けられている。つまり、１つの収納空間に収納される蓄電池ユニット５は、４個の保持部材（第１保持部材３５及び第２保持部材３６）にて保持されることになる。さらに、本実施形態では、１つの盤本体３に収納空間が２つ設けられているので、第１保持部材３５及び第２保持部材３６は、１つの盤本体３に対して４個ずつ設けられることになる。以下、複数（本実施形態では４個）の第１保持部材３５を区別しない場合には、複数の第１保持部材３５の各々を単に「第１保持部材３５」として説明する。同様に、複数（本実施形態では４個）の第２保持部材３６を区別しない場合には、複数の第２保持部材３６の各々を単に「第２保持部材３６」として説明する。
【００３５】
第１保持部材３５は、盤本体３内であって、収納空間（第１収納空間Ｓ１又は第２収納空間Ｓ２）の左側方に設けられている。第１保持部材３５は、フレーム（縦フレーム３２Ａ）に設けられている。ここで、鉛直方向における第１保持部材３５の位置は、収納空間に収納された状態の蓄電池ユニット５の第１取付部５５（図８Ａ参照）の位置に合わせて決められている。具体的には、支持台３４の台本体３４１の上面から第１保持部材３５までの高さは、蓄電池ユニット５の下面から第１取付部５５までの高さに略一致する。第１取付部５５の詳細については、「（２．３）蓄電池ユニット」の欄で説明する。
【００３６】
第１保持部材３５には、スライド方向における収納空間（第１収納空間Ｓ１又は第２収納空間Ｓ２）との対向面である右側面に開口する挿入口が形成されている。挿入口は、第１取付部５５が挿入されるポケット（穴）である。つまり、第１取付部５５がスライド方向における収納空間側から第１保持部材３５の挿入口に挿入されることで、第１保持部材３５に第１取付部５５が差し込まれた状態となる。この状態で、第１保持部材３５は、挿入口内に第１取付部５５を保持することとなり、前後方向への第１取付部５５の移動を規制する。言い換えれば、第１保持部材３５と第１取付部５５とは、第１取付部５５が第１保持部材３５に対してスライド方向に相対的に移動して挿入された状態で、前後方向への第１取付部５５の移動が規制される関係にある。本実施形態では、第１保持部材３５は、前後方向だけでなく鉛直方向についても、第１取付部５５の移動を規制する。
【００３７】
第２保持部材３６は、盤本体３内であって、収納空間（第１収納空間Ｓ１又は第２収納空間Ｓ２）の右側方に設けられている。第２保持部材３６は、フレーム（縦フレーム３２Ａ）に設けられている。ここで、鉛直方向における第２保持部材３６の位置は、収納空間に収納された状態の蓄電池ユニット５の第２取付部５６の位置に合わせて決められている。具体的には、支持台３４の台本体３４１の上面から第２保持部材３６までの高さは、蓄電池ユニット５の下面から第２取付部５６までの高さに略一致する。第２取付部５６の詳細については、「（２．３）蓄電池ユニット」の欄で説明する。なお、本実施形態では、第１取付部５５と第２取付部５６とで鉛直方向の位置が同じであるため、第１保持部材３５と第２保持部材３６との鉛直方向の位置も同じである。
【００３８】
第２保持部材３６は、第２取付部５６を前後方向の両側から挟み込むことで、前後方向及びスライド方向への第２取付部５６の移動を規制するように、前後方向に２分割可能に構成されている。具体的には、第２保持部材３６は、縦フレーム３２Ａに固定される台座３６１と、台座３６１に対して前方から取り付けられることにより台座３６１との間に第２取付部５６を保持する留め具３６２とを有している。留め具３６２における台座３６１との対向面（後面）には、第２取付部５６との干渉を回避する凹部が形成されている。これにより、台座３６１に留め具３６２が取り付けられた状態では、留め具の凹部によって台座３６１の前面と留め具３６２の後面との間に形成される隙間に、第２取付部５６が保持されることになる。本実施形態では、第２保持部材３６は、前後方向及びスライド方向だけでなく鉛直方向についても、第２取付部５６の移動を規制する。なお、ここでは、留め具３６２は台座３６１に対してねじ固定されるが、この構成に限らず、他の固定方法で留め具３６２は台座３６１が固定されてもよい。
【００３９】
ここで、スライド方向への第２取付部５６の移動については、第２保持部材３６が単独で規制するのではなく、第１保持部材３５と第２保持部材３６とが協働して規制する。すなわち、第１取付部５５及び第２取付部５６は、蓄電池ユニット５の左右両側に突出するように設けられており、それぞれの先端部が第１保持部材３５及び第２保持部材３６に挿入されるようにして保持される。したがって、第１保持部材３５にて第１取付部５５が保持され、かつ第２保持部材３６にて第２取付部５６が保持された状態では、第１保持部材３５にて左方への第１取付部５５の移動が規制され、第２保持部材３６にて右方への第２取付部５６の移動が規制される。これにより、スライド方向（左方及び右方）への第２取付部５６の移動が規制される。
【００４０】
ここでいう「Ａ」の「移動が規制される」とは、「Ａ」が動かないように完全に固定された状態だけでなく、いわゆる「遊び」を残しつつも、「Ａ」の移動可能な範囲を制限した状態も含む意味である。本実施形態では、第１取付部５５及び第２取付部５６のいずれについても、完全に固定されるのではなく、「遊び」を残しつつも移動可能な範囲が制限された状態となるように、移動が規制されている。言い換えれば、第１保持部材３５は、第１取付部５５との間に適当な隙間を有しながらも、前後方向への第１取付部５５の移動を規制できる。同様に、第２保持部材３６は、第２取付部５６との間に適当な隙間を有しながらも、前後方向及びスライド方向への第２取付部５６の移動を規制できる。
【００４１】
さらに、第２収納空間Ｓ２の左側方に位置する第１保持部材３５は、第１収納空間Ｓ１の左側方に位置する第１保持部材３５よりも前方に位置している。同様に、第２収納空間Ｓ２の右側方に位置する第２保持部材３６は、第１収納空間Ｓ１の右側方に位置する第２保持部材３６よりも前方に位置している（図１参照）。蓄電池ユニット５を収納盤２に取り付ける手順については、「（２．５）蓄電池ユニットの取り付け手順」の欄で説明する。
【００４２】
第３収納空間Ｓ３には、図１に示すように、ヒータユニット６が収納される。ヒータユニット６は、ヒータとファンとが一体に構成された交流駆動機器であり、ヒータによって暖められた空気がファンを通して外部に放出されるように構成されている。このヒータユニット６は、送風方向が鉛直方向と直交する方向（本実施形態では後方）となる状態で第３収納空間Ｓ３内に収納される。
【００４３】
また、盤本体３内であって、第３収納空間Ｓ３の後方には、風向パネル３７が設けられている。風向パネル３７は、金属製の板材である。風向パネル３７は、傾斜壁３７１と、第１取付片３７２と、第２取付片３７３とを有している。第１取付片３７２は、傾斜壁３７１の前端縁より前向きに突出し、第２取付片３７３は、傾斜壁３７１の後端縁より上向きに突出している。そして、第１取付片３７２がパネルブロック３１の第２パネル３１２にねじ固定され、かつ第２取付片３７３が第５パネル３１５にねじ固定されることで、風向パネル３７がパネルブロック３１に取り付けられる。
【００４４】
風向パネル３７がパネルブロック３１に取り付けられた状態では、図１に示すように、前後方向においてヒータユニット６と風向パネル３７とが対向する。さらに風向パネル３７の傾斜壁３７１は、ヒータユニット６との対向面が斜め上向きとなるように傾斜している。この構成では、ヒータユニット６からの風の向きは、風向パネル３７の傾斜壁３７１に当たることによって後向きから上向きに変更される（図１の矢印Ａ１参照）。ここに、本実施形態では、ヒータユニット６と風向パネル３７の傾斜壁３７１とで送風部が構成されており、ヒータユニット６がファンである。
【００４５】
上述した盤本体３の下部には、図１〜図４Ｃに示すように、盤本体３を床に固定するための取付ベース４１が取り付けられる。この取付ベース４１は、金属製である。取付ベース４１は、長手方向に直交する断面形状がＵ字状に形成された第１部材４１１、第２部材４１２、第３部材４１３及び第４部材４１４を組み合わせることで矩形枠状に形成されている（図４Ｃ参照）。第１部材４１１の下面には、床に施工されたアンカーボルトが挿通される複数（図４Ｃでは４個）の挿通孔４１１Ａが左右方向に等間隔に設けられている。また、第２部材４１２の下面にも、アンカーボルトが挿通される複数（図４Ｃでは４個）の挿通孔４１２Ａが左右方向に等間隔に設けられている。
【００４６】
蓋体４は、金属製であって、扁平な矩形箱状に形成されている。蓋体４の外形寸法（鉛直方向の寸法及び左右方向の寸法）は、盤本体３の開口部３０の開口寸法よりもわずかに大きい寸法に設定されている。この蓋体４は、盤本体３の前面に形成された開口部３０を塞いだ状態で盤本体３にねじ固定される。
【００４７】
（２．３）蓄電池ユニット
蓄電池ユニット５は、図８Ａ〜図８Ｃに示すように、直方体状に形成された筐体５１と、筐体５１に収納される蓄電池５０（図５参照）とを備えている。筐体５１は、前面が開口した矩形箱状のボディ５２と、ボディ５２の開口を塞ぐようにボディ５２に取り付けられるカバー５３とを有している。また、カバー５３は、ボディ５２の開口を塞ぐカバー本体５３１と、カバー本体５３１の上端縁から後向きに突出する取付片５３２とを有している。そして、本実施形態の蓄電池ユニット５では、ボディ５２の開口を塞ぐようにカバー５３がボディ５２に取り付けられ、取付片５３２が介して上方からねじ固定されることで、筐体５１が組み立てられる。
【００４８】
また、ボディ５２の後面には、第１取付部５５及び第２取付部５６が取り付けられている。第１取付部５５は、金属製である。第１取付部５５は、矩形板状に形成され、少なくとも左右方向の一端部をボディ５２の左側面より外側（左側）に突出させた状態でボディ５２に取り付けられている。また、第１取付部５５は、１個の筐体５１に対して、上下方向に間隔を空けた状態で２個取り付けられている。第２取付部５６は、第１取付部５５と同様に、金属製である。第２取付部５６は、矩形板状に形成され、少なくとも左右方向の一端部をボディ５２の右側面より外側（右側）に突出させた状態でボディ５２に取り付けられている。また、第２取付部５６は、第１取付部５５と同様に、１個の筐体５１に対して、上下方向に間隔を空けた状態で２個取り付けられている。
【００４９】
ここで、上下方向に並ぶ２個の第１取付部５５の間隔は、収納空間（第１収納空間Ｓ１又は第２収納空間Ｓ２）に設けられた２個の第１保持部材３５の間隔と同じである。また、上下方向に並ぶ２個の第２取付部５６の間隔は、収納空間に設けられた２個の第２保持部材３６の間隔と同じである。第１取付部５５及び第２取付部５６のうち、ボディ５２の側面から突出する部分は、第１保持部材３５及び第２保持部材３６と電気的に絶縁できるように絶縁部材で覆われていることが好ましい。
【００５０】
（２．４）蓄電池ユニットの位置関係
ところで、本実施形態の収納盤２のように、複数の蓄電池ユニット５を上下方向に並べて収納する構造では、複数の蓄電池ユニット５が前後方向（奥行方向）において同じ位置にあると、蓄電池ユニット５を取り付ける際の作業性が低下する場合がある。特に、本実施形態の蓄電池ユニット５のように、ボディ５２に対してカバー５３が上方からねじ固定される構造の場合、上下方向に隣接する蓄電池ユニット５間の距離が短いとカバー５３の着脱ができない可能性もある。
【００５１】
そこで、本実施形態の収納盤２では、図１に示すように、第１蓄電池ユニット５Ａが第２蓄電池ユニット５Ｂよりも蓋体４に近づくように、第１蓄電池ユニット５Ａ及び第２蓄電池ユニット５Ｂの位置を前後方向でずらしている。言い換えれば、第１蓄電池ユニット５Ａから蓋体４までの距離は、第２蓄電池ユニット５Ｂから蓋体４までの距離よりも短くなる。なお、第１蓄電池ユニット５Ａは、上下方向（鉛直方向）に隣接する２つの蓄電池ユニット５のうち下側の蓄電池ユニット５である。また、第２蓄電池ユニット５Ｂは、上下方向（鉛直方向）に隣接する２つの蓄電池ユニット５のうち上側の蓄電池ユニット５である。
【００５２】
具体的には、第２蓄電池ユニット５Ｂを支持する上側の支持バー３３及び支持台３４は、図１に示すように、下側の支持バー３３及び支持台３４よりも後方にある。一方、第１蓄電池ユニット５Ａが取り付けられる下側の支持バー３３及び支持台３４は、図１に示すように、上側の支持バー３３及び支持台３４よりも前方にある。そして、第１蓄電池ユニット５Ａ及び第２蓄電池ユニット５Ｂをそれぞれ対応する支持台３４に載せた状態では、下側の第１蓄電池ユニット５Ａが前寄りに、上側の第２蓄電池ユニット５Ｂが後寄りにそれぞれ位置した状態で収納盤２に収納される。
【００５３】
この場合、本実施形態の蓄電池ユニット５のように、カバー５３を上方からねじ固定する構造であっても容易にカバー５３の着脱を行うことができる。すなわち、本実施形態の収納盤２では、複数の蓄電池ユニット５を前後方向において同じ位置に配置する場合に比べて、蓄電池ユニット５のカバー５３を着脱する際の作業性を向上させることができる。また、本実施形態の収納盤２のように、蓄電池ユニット５の位置をずらす方向が鉛直方向に平行な蓄電池ユニット５の筐体５１の４つの面のうち表面積が最も大きい面の法線方向である場合、蓄電池ユニット５で発生する熱の放熱効率を高めることができる。
【００５４】
また、本実施形態の収納盤２では、図１に示すように、距離Ｌ２が距離Ｌ１よりも短くなっているのが好ましい。距離Ｌ１は、上下方向（鉛直方向）における上側の第２蓄電池ユニット５Ｂと盤本体３の上面（第１パネル３１１）との間の距離である。距離Ｌ２は、上側の第２蓄電池ユニット５Ｂを支持する支持部材の下端（支持バー３３の下端）と下側の第１蓄電池ユニット５Ａとの間の距離である。さらに、本実施形態の収納盤２では、距離Ｌ３が距離Ｌ１よりも短くなっているのがより好ましい。距離Ｌ３は、上下方向（鉛直方向）に隣接する第１蓄電池ユニット５Ａと第２蓄電池ユニット５Ｂとの間の距離である。これにより、カバー５３を着脱する際の作業性を向上させながらも収納盤２を鉛直方向（上下方向）に小型化することができる。
【００５５】
また、本実施形態の収納盤２では、図１及び図２に示すように、下側の第１蓄電池ユニット５Ａよりも下側のスペースである第３収納空間Ｓ３にヒータユニット６及び風向パネル３７からなる送風部が収納されている。ヒータユニット６から放出される空気は後向きに移動するが、風向パネル３７の傾斜壁３７１に当たった後は上向きに移動する（図１の矢印Ａ１参照）。さらに、傾斜壁３７１に当たった空気は、第１蓄電池ユニット５Ａの後側の空間を上向きに移動した後（図１の矢印Ａ２参照）、第１蓄電池ユニット５Ａと第２蓄電池ユニット５Ｂとの間を前向きに移動する（図１の矢印Ａ３参照）。そして、第１蓄電池ユニット５Ａと第２蓄電池ユニット５Ｂとの間を前向きに移動した空気は、さらに第２蓄電池ユニット５Ｂの前側の空間を上向きに移動する（図１の矢印Ａ４参照）。これにより、収納盤２内の空気を対流させることができる。しかも、本実施形態の収納盤２のように、送風部からの風の向きが上向きである場合には、対流によって盤本体３内で熱を効率よく移動させることができる。
【００５６】
（２．５）蓄電池ユニットの取り付け手順
次に、蓄電池ユニット５を収納盤２に取り付ける手順について図９Ａ〜図９Ｄを参照して説明する。作業者は、図９Ａに示すように、蓄電池ユニット５の前面が左斜め前方を向くように蓄電池ユニット５を傾けた状態で、支持台３４の台本体３４１に蓄電池ユニット５を載せる。
【００５７】
その後、作業者は、蓄電池ユニット５の前面の右端部を後方に押して、蓄電池ユニット５の前面の左端縁を軸に水平面内で蓄電池ユニット５を回転させ、図９Ｂに示すように、蓄電池ユニット５を盤本体３内に納める。このとき、蓄電池ユニット５は、前面が真正面を向く状態まで、平面視で反時計回りに回転し、筐体５１の後面が第１ストッパ３４２に接触することで後方への移動が規制される。図９Ｂに示す状態では、蓄電池ユニット５は、盤本体３内において第１収納空間Ｓ１よりもやや右方へずれた位置にある。支持台３４に取り付けられる絶縁シート３９は、蓄電池ユニット５が移動しやすいように摩擦係数の小さい材質（例えば、ポリカーボネートなど）であるのが好ましい。
【００５８】
さらに、作業者は、図９Ｃに示すように、蓄電池ユニット５を左向きにスライドさせる。これにより、筐体５１の左側面から左向きに突出する２個の第１取付部５５が、それぞれ対応する第１保持部材３５に差し込まれる。このとき、蓄電池ユニット５は、筐体５１の左側面が第２ストッパ３４３に接触することで左方への移動が規制される。つまり、図９Ｃに示す状態では、蓄電池ユニット５が前後方向及び左右方向において位置決めされる。その後、作業者は、筐体５１の右側面から右向きに突出する２つの第２取付部５６を、それぞれ対応する第２保持部材３６により保持させることで、蓄電池ユニット５の取り付けが完了する。このとき、２つの第２取付部５６は、それぞれ対応する第２保持部材３６の台座３６１と留め具３６２とで挟み込まれることにより、第２保持部材３６にて保持される。
【００５９】
（２．６）収納盤の連接
ところで、本実施形態の収納盤２は、図１０に示すように、２個の収納盤２を左右方向に並べて設置（連接）することができる。この場合、左側の収納盤２の第３パネル３１３と右側の収納盤２の第４パネル３１４とからそれぞれねじ４４が外され、第３パネル３１３と第４パネル３１４とを接触させた後に、ねじ４４により第３パネル３１３と第４パネル３１４とが締結される。これにより、２個の収納盤２を一体的に連接した状態で設置することができる。また、同様の手順により、３個以上の収納盤２を左右方向に並べて設置することもできる。
【００６０】
さらに、収納盤２は、電力変換装置８に対しても、左右方向に並べて設置（連接）可能である。つまり、蓄電装置１の筐体である収納盤２と、電力変換装置８の筐体８６とは、連接可能である。そのため、収納盤２と筐体８６とでは外観において統一が図られることが好ましい。例えば、収納盤２と筐体８６とでは床面からの高さが同じに構成されている。
【００６１】
また、複数の収納盤２の上面に、それぞれ収納盤２を壁に固定するための固定金具が取り付けられてもよい。この構成では、複数の収納盤２が壁に固定されるため、耐震性を向上することができる。また、より耐震性を向上するために、複数の収納盤２に取り付けられた複数の固定金具同士を連結する連結金具をさらに取り付けてもよい。
【００６２】
（２．７）電力変換システム
以下、本実施形態の電力変換システム８０について図１１を参照して説明する。本実施形態の電力変換システム８０は、取付台８７と、複数（本実施形態では２個）の電力変換装置８とを備えている。取付台８７には、複数（本実施形態では２個）の（第２）筐体８６が左右方向に並んで取り付けられている。２個の筐体８６には、それぞれ電力変換ユニットが収納されている。ここでいう電力変換ユニットは、電力変換装置８を構成するユニットであって、インバータ８１、自立制御部８２（８２Ａ又は８２Ｂ）、複数のＤＣ／ＤＣコンバータ８３、及びＤＣ／ＤＣコンバータ８４，８５を含んでいる。つまり、電力変換装置８は、筐体８６に電力変換ユニットを収納して構成されている。
【００６３】
本実施形態の電力変換システム８０では、複数の電力変換装置８が並んで取付台８７に取り付けられるので、複数の電力変換装置８を別々に地面に設置する場合と比較して、１箇所にまとまったシステムを構築することが可能である。
【００６４】
筐体８６は、図１１に示すように、第１筐体８６１と、第２筐体８６２とを備えている。第１筐体８６１及び第２筐体８６２は、いずれも金属板にて矩形箱状に構成されている。第１筐体８６１は、第２筐体８６２の上に載せられた状態で、例えばボルトにて第２筐体８６２に結合されている。つまり、第１筐体８６１及び第２筐体８６２は、上下方向（鉛直方向）に並んでいる。第１筐体８６１には、例えばインバータ８１等が収納され、第２筐体８６２には、例えば自立制御部８２等が収納される。
【００６５】
ところで、このような電力変換装置８又は電力変換システム８０と、蓄電装置１（収納盤２）とが左右方向に並べて設置される場合、正面から見て、外観上の統一が図れることが好ましい。具体的には、収納盤２と筐体８６とで上下方向の寸法が異なる場合には、収納盤２と筐体８６との一方に、高さ調整用ベースが取り付けることで、収納盤２と筐体８６とで床面からの高さが揃えられることが好ましい。例えば、筐体８６より収納盤２の上下方向の寸法が小さい場合、取付ベース４１の下方に高さ調整用ベースが取り付けられることで、収納盤２と筐体８６とで床面からの高さが揃えられる。
【００６６】
また、収納盤２と筐体８６とで前後方向の寸法が異なる場合には、収納盤２の前面と筐体８６の前面とが面一になるように、収納盤２及び筐体８６が設置されることが好ましい。例えば、収納盤２及び筐体８６が壁際に設置される場合には、壁から収納盤２の後面までの距離と壁から筐体８６の後面までの距離とを異ならせることで、前面が面一になる。そのため、収納盤２及び筐体８６の各々の上面に、収納盤２及び筐体８６を壁に固定するための固定金具が取り付けられる場合には、収納盤２と筐体８６とで、固定金具の前後方向の寸法が異なることが好ましい。例えば、筐体８６より収納盤２の前後方向の寸法が大きい場合、壁に近くなる収納盤２用の固定金具の方が、筐体８６用の固定金具よりも前後方向の寸法は小さくなる。
【００６７】
（３）効果
以上説明したように、本実施形態の収納盤２では、支持部材（支持バー３３及び支持台３４）は、複数の蓄電池ユニット５の位置を鉛直方向と直交する方向（前後方向）にずらした状態で複数の蓄電池ユニット５を支持する。この構成によれば、複数の蓄電池ユニット５の位置を鉛直方向と直交する方向にずらしているので、本実施形態のように、蓄電池ユニット５のカバー５３がボディ５２に対して上側からねじ固定される構造であってもカバー５３を容易に着脱することができる。したがって、複数の蓄電池ユニット５を鉛直方向と直交する方向において同じ位置に配置する場合に比べてカバー５３の着脱作業が容易であり、蓄電池ユニット５を収納盤２に取り付ける際の作業性を向上させることができる。また、複数の蓄電池ユニット５を鉛直方向と直交する方向に振り分けて配置することになり、その結果、鉛直方向と直交する方向における収納盤２の両面から均等に放熱することができる。
【００６８】
また、本実施形態の収納盤２のように、筐体５１は直方体であるのが好ましい。この場合、支持部材は、鉛直方向に平行な筐体５１の４つの面のうち表面積が最も大きい面の法線方向に複数の蓄電池ユニット５の位置をずらした状態で複数の蓄電池ユニット５を支持するように構成されるのが好ましい。この構成によれば、表面積に比例して放熱量が大きくなるため、筐体５１の表面積が大きい面の法線方向に蓄電池ユニット５の位置をずらすことで、蓄電池ユニット５で発生する熱の放熱効率を高めることができる。ただし、この構成は収納盤２に必須の構成ではなく、例えば、上記４つの面のうち表面積が最も大きい面以外の面の法線方向に複数の蓄電池ユニット５の位置をずらしてもよい。
【００６９】
また、本実施形態の収納盤２のように、支持部材は、第１蓄電池ユニット５Ａが第２蓄電池ユニット５Ｂよりも蓋体４に近づくように位置をずらした状態で複数の蓄電池ユニット５（５Ａ，５Ｂ）を支持するように構成されているのが好ましい。第１蓄電池ユニット５Ａは、複数の蓄電池ユニット５の中で鉛直方向に隣接する２つの蓄電池ユニット５のうち下側に位置している。第２蓄電池ユニット５Ｂは、複数の蓄電池ユニット５の中で鉛直方向に隣接する２つの蓄電池ユニット５のうち上側に位置している。この構成によれば、本実施形態のように、蓄電池ユニット５のカバー５３がボディ５２に対して上側からねじ固定される構造であってもカバー５３を容易に着脱することができる。したがって、複数の蓄電池ユニット５を鉛直方向と直交する方向において同じ位置に配置する場合に比べてカバー５３の着脱作業が容易であり、蓄電池ユニット５を収納盤２の取り付ける際の作業性を向上させることができる。ただし、この構成は収納盤２に必須の構成ではなく、例えば、第２蓄電池ユニット５Ｂが第１蓄電池ユニット５Ａよりも蓋体４に近づくように、第１蓄電池ユニット５Ａ及び第２蓄電池ユニット５Ｂの位置をずらしてもよい。
【００７０】
また、本実施形態の収納盤２のように、距離Ｌ２が距離Ｌ１よりも短くなるように構成されているのが好ましい。距離Ｌ１は、複数の蓄電池ユニット５のうち一番上に位置する第２蓄電池ユニット５Ｂと盤本体３の上面（第１パネル３１１）との間の距離である。距離Ｌ２は、複数の蓄電池ユニット５のうち一番上に位置する第２蓄電池ユニット５Ｂと、この第２蓄電池ユニット５Ｂに隣接する第１蓄電池ユニット５Ａとの間の距離である。この構成によれば、蓄電池ユニット５を収納盤２に取り付ける際の作業性を向上させながらも収納盤２を鉛直方向に小型化することができる。ただし、この構成は収納盤２に必須の構成ではなく、例えば、距離Ｌ２が距離Ｌ１よりも長くなっていてもよい。
【００７１】
また、本実施形態の収納盤２のように、距離Ｌ３が距離Ｌ１よりも短くなるように構成されているのが好ましい。距離Ｌ１は、複数の蓄電池ユニット５のうち一番上に位置する第２蓄電池ユニット５Ｂと盤本体３の上面（第１パネル３１１）との間の距離である。距離Ｌ３は、複数の蓄電池ユニット５のうち一番上に位置する第２蓄電池ユニット５Ｂを支持する支持部材の下端と、この第２蓄電池ユニット５Ｂに隣接する第１蓄電池ユニット５Ａとの間の距離である。この構成によれば、蓄電池ユニット５を収納盤２に取り付ける際の作業性を向上させながらも収納盤２を鉛直方向に小型化することができる。
【００７２】
また、本実施形態の収納盤２のように、複数の蓄電池ユニット５のうち一番下に位置する蓄電池ユニット５よりも下側のスペースに配置される送風部（ヒータユニット６及び風向パネル３７）をさらに備えているのが好ましい。この構成によれば、送風部によって盤本体３内の空気を移動させ、対流によって盤本体３内で熱を移動させることができる。ただし、この構成は収納盤２に必須の構成ではなく、送風部は省略されてもよい。
【００７３】
また、本実施形態の収納盤２のように、送風部からの風の向きが上向きであるのが好ましい。この構成によれば、下側から風を送ることで盤本体３内の空気を上向きに移動させ、対流によって盤本体３内で熱を効率よく移動させることができる。ただし、この構成は収納盤２に必須の構成ではなく、例えば、送風部からの風の向きは後向きであってもよい。
【００７４】
また、本実施形態の収納盤２のように、送風部は、鉛直方向と直交する方向が送風方向となるように配置されたファン（ヒータユニット６）と、送風方向においてファンと対向するように配置された傾斜壁３７１とを有するのが好ましい。この場合、傾斜壁３７１は、ファンとの対向面が斜め上向きとなるように傾斜しているのが好ましい。この構成によれば、ファンで発生させた風の向きを傾斜壁３７１によって上向きにすることができ、下側から風を送ることで盤本体３内の空気を上向きに移動させ、対流によって盤本体３内で熱を効率よく移動させることができる。また、この構成によれば、ファンを横向きに配置することができ、これによりファンに埃がたまりにくくなるという利点がある。ただし、この構成は収納盤２に必須の構成ではなく、少なくともファンを有していればよい。
【００７５】
本実施形態の蓄電装置１は、上述の収納盤２と、収納盤２に収納される複数の蓄電池ユニット５（５Ａ，５Ｂ）とを備えている。この構成によれば、上述の収納盤２を用いることによって作業性を向上させた蓄電装置１を提供することができる。
【００７６】
本実施形態の蓄電システムは、上述の蓄電装置１と、蓄電装置１の電力を変換する電力変換装置８とを備えている。この構成によれば、上述の収納盤２を用いることによって作業性を向上させた蓄電システムを提供することができる。
【００７７】
（４）変形例
第１取付部と第１保持部材との関係は、上記実施形態とは反対の関係であってもよい。すなわち、第１保持部材は、第１取付部と第１保持部材との一方が他方に対して挿入された状態で、前後方向への第１取付部の移動が規制される構成であればよい。具体的には、第１保持部材が第２保持部材に向かって延びた板状体からなり、第１保持部材が挿入される挿入口が第１取付部に形成され、第１取付部に対して第１保持部材が挿入される構成であってもよい。
【００７８】
また、第１保持部材と第２保持部材との位置関係についても、上記実施形態とは反対の関係であってもよい。すなわち、第１保持部材が収納空間の右側方に設けられ、第２保持部材が収納空間の左側方に設けられていてもよい。
【００７９】
また、第１保持部材３５及び第２保持部材３６の各々は、上記実施形態のように、１つの収納空間（第１収納空間Ｓ１又は第２収納空間Ｓ２）に対して２つ設けられる構成に限らず、１つの収納空間に対して１つ、又は３つ以上設けられていてもよい。例えば、１つの収納空間に対して第１保持部材３５及び第２保持部材３６が１つずつ設けられる場合、１つの収納空間に収納される蓄電池ユニット５は、２つの保持部材（第１保持部材３５及び第２保持部材３６）にて保持されることになる。１つの収納空間に対して第１保持部材３５及び第２保持部材３６の各々が２つ以上設けられる構成では、１つの収納空間に対して第１保持部材３５及び第２保持部材３６の各々が１つ設けられる構成に比べて、蓄電池ユニット５が固定しやすくなる。
【００８０】
同様に、第１取付部５５及び第２取付部５６の各々についても、上記実施形態のように、１個の筐体５１に対して２個設けられる構成に限らず、１個の筐体５１に対して１個、又は３個以上設けられていてもよい。例えば、第１保持部材３５及び第２保持部材３６が１つの収納空間に対して１つずつ設けられる場合、第１取付部５５及び第２取付部５６も、１個の筐体５１に対して１個ずつ設けられる。１個の筐体５１に対して第１取付部５５及び第２取付部５６の各々が２個以上設けられる構成では、１個の筐体５１に対して第１取付部５５及び第２取付部５６の各々が１個設けられる構成に比べて、蓄電池ユニット５が固定しやすくなる。
【００８１】
また、上記実施形態では、ヒータ及びファンを内蔵するヒータユニット６と風向パネル３７とで送風部を構成しているが、例えばヒータユニット６のみで送風部を構成してもよい。この場合、ヒータユニット６の送風方向が上下方向となるようにヒータユニット６の向きを調整することで、対流によって盤本体３内で熱を効率よく移動させることができる。また、上記実施形態では、ヒータ及びファンを内蔵するヒータユニット６を用いているが、ファンのみであってもよい。
【００８２】
さらに、上記実施形態では、２個の蓄電池ユニット５を鉛直方向に並べているが、３個以上の蓄電池ユニット５を鉛直方向に並べるように構成してもよい。この場合、鉛直方向に隣接する２つの蓄電池ユニット５のうち下側の蓄電池ユニット５が上側の蓄電池ユニット５よりも前側（蓋体４側）となるように、両蓄電池ユニット５の位置を前後方向にずらすのが好ましい。
【００８３】
また、上記実施形態では、鉛直方向に平行な筐体５１の４つの面のうち表面積が最も大きい面の法線方向（前後方向）に蓄電池ユニット５の位置をずらしている。これに対して、放熱性を考慮しなくてもよい場合には、筐体５１の上記４つの面のうち表面積が最も大きい面を除いた残りの面の法線方向（左右方向）に蓄電池ユニット５の位置をずらしてもよい。
【００８４】
さらに、上記実施形態では、収納盤側に第１保持部材及び第２保持部材を設け、蓄電池ユニット側に第１取付部及び第２取付部を設けているが、収納盤側に第１取付部及び第２取付部を設け、蓄電池ユニット側に第１保持部材及び第２保持部材を設けてもよい。
【００８５】
また、上記実施形態では、１個の蓄電池５０を筐体５１に収納した蓄電池ユニット５について説明したが、筐体５１に収納する蓄電池５０の数は１個に限らず、複数であってもよい。
【００８６】
また、上記実施形態では、リブ３１５Ａが第５パネル３１５と一体であるが、リブ３１５Ａは、第５パネル３１５と別体に形成され、第５パネル３１５に取り付けられるようになっていてもよい。
【００８７】
また、複数の収納盤２を左右方向に並べて設置（連接）する場合において、隣接する一対の収納盤２間には隙間があってもよい。すなわち、複数の収納盤２は隙間なく連接されるだけでなく、所定の間隔を空けて連接される構成であってもよい。さらには、複数の収納盤２は、取付ベース４１を用いて連接される構成であってもよい。この場合、１個の取付ベース４１に対して複数の収納盤２が並べて取り付けられる。
【００８８】
また、上記実施形態では、１個の収納盤２に蓄電池ユニット５を複数（２個）収納した例を示したが、収納盤２に収納される蓄電池ユニット５の数は複数に限らず、１個であってもよい。さらに、収納盤２には、例えばインバータ８１等、電力変換装置８の少なくとも一部が収納されていてもよい。この場合、１個の収納盤２に蓄電池ユニット５とインバータ８１等とが一緒に収納される。
【符号の説明】
【００８９】
１  蓄電装置
２  収納盤
３  盤本体
４  蓋体
５  蓄電池ユニット
５Ａ  第１蓄電池ユニット
５Ｂ  第２蓄電池ユニット
６  ヒータユニット（送風部、ファン）
８  電力変換装置
３３  支持バー（支持部材）
３４  支持台（支持部材）
３７  風向パネル（送風部）
３７１  傾斜壁
５０  蓄電池
５１  筐体
３１１  第１パネル（盤本体の上面）
Ｌ１，Ｌ２，Ｌ３  距離
【図１】
2017098031.tif 000003
【図２】
2017098031.tif 000004
【図３】
2017098031.tif 000005
【図４】
2017098031.tif 000006
【図５】
2017098031.tif 000007
【図６】
2017098031.tif 000008
【図７】
2017098031.tif 000009
【図８】
2017098031.tif 000010
【図９】
2017098031.tif 000011
【図１０】
2017098031.tif 000012
【図１１】
2017098031.tif 000013